(57)【要約】【課題】コネクタを用いる場合に比べて、部品点数及び組み立て工数を削減し、低コスト化を図ることができ、しかも回路基板と電子部品とを安定的に電気接続することができる送風機器を提供する。【解決手段】回路基板４４の接点４４ａに帯電粒子発生ユニット４３の接続端４３ａを当接させた状態で回路基板４４及び帯電粒子発生ユニット４３を保持する保持体５を送風機器に備える。保持体５は、帯電粒子発生ユニット４３が挿脱される挿脱部を有し、該帯電粒子発生ユニット４３の挿脱方向両側が開口しているユニット保持部と、該ユニット保持部の前記挿脱方向一端側に設けられており、該挿脱方向一端側に配された回路基板４４の他の面に当接する当接片５４ａ及び当接爪５４ｂと、ユニット保持部の前記挿脱方向他端側に設けられており、ユニット保持部に保持された帯電粒子発生ユニット４３の抜き出し方向への移動を規制する規制爪５３とを備える。【選択図】図９
2014053559.tif 000002
【特許請求の範囲】
【請求項１】
接点を一の面に有する回路基板と、該接点に当接する接続端を有する電子部品と、前記接点に前記接続端を当接させた状態で前記回路基板及び電子部品を保持する保持体とを備える電気機器であって、
前記保持体は、
前記電子部品が挿脱される挿脱部を有し、該電子部品の挿脱方向両側が開口している電子部品保持部と、
該電子部品保持部の前記挿脱方向一端側に設けられており、該挿脱方向一端側に配された前記回路基板の他の面に当接する当接部と、
前記電子部品保持部の前記挿脱方向他端側に設けられており、該電子部品保持部に保持された前記電子部品の抜き出し方向への移動を規制する規制部材と
を備えることを特徴とする電気機器。
【請求項２】
前記保持体は、
前記電子部品保持部の前記挿脱方向一端側へ突出した突出部を備え、
前記回路基板は
前記接点と、前記接続端とが対向する位置で前記突出部が挿入される位置決め孔部を備える
ことを特徴とする請求項１に記載の電気機器。
【請求項３】
前記電子部品保持部、前記当接部及び前記規制部材は一体形成されている
ことを特徴とする請求項１又は請求項２に記載の電気機器。
【請求項４】
空気の吸込口、通流路及び吹出口を有する筐体と、空気を前記通流路に通流させるファンと、接点を一の面に有する回路基板と、該接点に当接する接続端を有し、前記通流路の途中に配され、帯電粒子を発生させる電子部品と、前記接点に前記接続端を当接させた状態で前記回路基板及び電子部品を保持する保持体とを備え、該電子部品が発生させた帯電粒子を含む空気を前記吹出口から吹き出すようにしてある送風機器であって、
前記保持体は、
前記電子部品が挿脱される挿脱部を有し、該電子部品の挿脱方向両側が開口している電子部品保持部と、
該電子部品保持部の前記挿脱方向一端側に設けられており、該挿脱方向一端側に配された前記回路基板の他の面に当接する当接部と、
前記電子部品保持部の前記挿脱方向他端側に設けられており、該電子部品保持部に保持された前記電子部品の抜き出し方向への移動を規制する規制部材と
を備えることを特徴とする送風機器。
【請求項５】
前記保持体は、
前記電子部品保持部の前記挿脱方向一端側へ突出した突出部を備え、
前記回路基板は
前記接点と、前記接続端とが対向する位置で前記突出部が挿入される位置決め孔部を備える
ことを特徴とする請求項４に記載の送風機器。
【請求項６】
前記電子部品保持部、前記当接部及び前記規制部材は一体形成されている
ことを特徴とする請求項４又は請求項５に記載の送風機器。
【請求項７】
前記保持体は、
前記ファンを保持する保持枠を備え、該保持枠は前記電子部品保持部と一体形成されている
ことを特徴とする請求項４から請求項６までのいずれか一つに記載の送風機器。
【発明の詳細な説明】
【技術分野】
【０００１】
本発明は、接点を有する回路基板と、該接点に当接する接続端を有する電子部品と、前記回路基板及び電子部品を接続状態で保持する保持体とを備える電気機器及び送風機器に関する。
【背景技術】
【０００２】
外部の振動が問題になるような電気機器において、回路基板に電子部品を着脱可能に接続する場合、電気的接続を確実にするためにコネクタが用いられている。
一方、携帯電話機、電池パックの充電器のように、弾性を有する接点を用いて電気的接続を行うこともある（例えば、特許文献１，２）。
【先行技術文献】
【特許文献】
【０００３】
【特許文献１】特開２００９−１７７４１号公報
【特許文献２】特開２０１２−１６０９９号公報
【発明の概要】
【発明が解決しようとする課題】
【０００４】
しかしながら、コネクタを用いれば電気的接続を確実にすることができるが、電気機器の部品点数及び組み立て工数が増加し、コスト高になるという問題があった。
一方、携帯電話機及び充電器のように弾性を有する接点を用いた場合、外部からの振動を受けた際、接点が離れる等、接続状態に不具合が生ずるおそれがある。
【０００５】
本発明は斯かる事情に鑑みてなされたものであり、その目的はコネクタを用いる場合に比べて、部品点数及び組み立て工数を削減し、低コスト化を図ることができ、しかも回路基板と電子部品とを安定的に電気接続することができる電気機器及び送風機器を提供することにある。
【課題を解決するための手段】
【０００６】
本発明に係る電気機器は、接点を一の面に有する回路基板と、該接点に当接する接続端を有する電子部品と、前記接点に前記接続端を当接させた状態で前記回路基板及び電子部品を保持する保持体とを備える電気機器であって、前記保持体は、前記電子部品が挿脱される挿脱部を有し、該電子部品の挿脱方向両側が開口している電子部品保持部と、該電子部品保持部の前記挿脱方向一端側に設けられており、該挿脱方向一端側に配された前記回路基板の他の面に当接する当接部と、前記電子部品保持部の前記挿脱方向他端側に設けられており、該電子部品保持部に保持された前記電子部品の抜き出し方向への移動を規制する規制部材とを備えることを特徴とする。
【０００７】
本発明にあっては、電子部品保持部によって、回路基板の面内方向における電子部品の移動が規制される。また、当接部及び規制部材によって、電子部品の挿脱方向の移動を規制することができる。
従って、挿脱方向における当接部と、規制部材との幅が、電子部品及び回路基板の挿脱方向における幅以下になるように寸法管理を行いさえすれば、回路基板の接点と、電子部品の接続端とを安定的に接触させた状態で保持することが可能である。
【０００８】
本発明に係る電気機器は、前記保持体は、前記電子部品保持部の前記挿脱方向一端側へ突出した突出部を備え、前記回路基板は前記接点と、前記接続端とが対向する位置で前記突出部が挿入される位置決め孔部を備えることを特徴とする。
【０００９】
本発明にあっては、電子部品保持部の前記挿脱方向一端側へ突出した突出部が回路基板の位置決め孔部に挿入されているため、挿脱方向に対して略垂直な方向への回路基板の移動を規制することができる。そして、回路基板の位置決め孔部は、接点と、接続端とが対向する位置で突出部が挿入されるように設けられているため、保持体は、回路基板の面内方向において接点及び接続端が当接する位置に回路基板を保持することが可能である。
【００１０】
本発明に係る電気機器は、前記電子部品保持部、前記当接部及び前記規制部材は一体形成されていることを特徴とする。
【００１１】
本発明にあっては、電子部品保持部、前記当接部及び前記規制部材は一体形成されているため、各部を別体で構成する場合に比べて、挿脱方向における寸法管理が容易である。つまり、挿脱方向における当接部と、規制部材との幅を、電子部品及び回路基板の挿脱方向における幅以下にする寸法管理が容易である。
【００１２】
本発明に係る送風機器は、空気の吸込口、通流路及び吹出口を有する筐体と、空気を前記通流路に通流させるファンと、接点を一の面に有する回路基板と、該接点に当接する接続端を有し、前記通流路の途中に配され、帯電粒子を発生させる電子部品と、前記接点に前記接続端を当接させた状態で前記回路基板及び電子部品を保持する保持体とを備え、該電子部品が発生させた帯電粒子を含む空気を前記吹出口から吹き出すようにしてある送風機器であって、前記保持体は、前記電子部品が挿脱される挿脱部を有し、該電子部品の挿脱方向両側が開口している電子部品保持部と、該電子部品保持部の前記挿脱方向一端側に設けられており、該挿脱方向一端側に配された前記回路基板の他の面に当接する当接部と、前記電子部品保持部の前記挿脱方向他端側に設けられており、該電子部品保持部に保持された前記電子部品の抜き出し方向への移動を規制する規制部材とを備えることを特徴とする。
【００１３】
本発明にあっては、挿脱方向における当接部と、規制部材との幅が、電子部品の挿脱方向における幅以下になるように寸法管理を行いさえすれば、回路基板の接点と、電子部品の接続端とを安定的に接触させた状態で保持することが可能である。
また、電子部品にて発生した帯電粒子を含む空気が前記吹出口から吹き出される。ファンは回路基板及び電子部品に振動を与えるが、保持体は、接点及び接続端を安定的に接触させた状態で回路基板及び電子部品を保持しているため、該振動によって接点と、接続端が離れることは無い。
【００１４】
本発明に係る送風機器は、前記保持体は、前記電子部品保持部の前記挿脱方向一端側へ突出した突出部を備え、前記回路基板は前記接点と、前記接続端とが対向する位置で前記突出部が挿入される位置決め孔部を備えることを特徴とする。
【００１５】
本発明にあっては、電子部品保持部の前記挿脱方向一端側へ突出した突出部が回路基板の位置決め孔部に挿入されているため、挿脱方向に対して略垂直な方向への回路基板の移動を規制することができる。そして、回路基板の位置決め孔部は、接点と、接続端とが対向する位置で突出部が挿入されるように設けられているため、保持体は、回路基板の面内方向において接点及び接続端が当接する位置に回路基板を保持することが可能である。
【００１６】
本発明に係る送風機器は、前記電子部品保持部、前記当接部及び前記規制部材は一体形成されていることを特徴とする。
【００１７】
本発明にあっては、電子部品保持部、前記当接部及び前記規制部材は一体形成されているため、各部を別体で構成する場合に比べて、挿脱方向における寸法管理が容易である。
【００１８】
本発明に係る送風機器は、前記保持体は、前記ファンを保持する保持枠を備え、該保持枠は前記電子部品保持部と一体形成されていることを特徴とする。
【００１９】
本発明にあっては、電子部品保持部及びファンが一体形成されているため、保持枠を別体で設ける場合に比べて、部品点数が削減される。
【発明の効果】
【００２０】
本発明によれば、コネクタを用いる場合に比べて、部品点数及び組み立て工数を削減し、低コスト化を図ることができ、しかも回路基板と電子部品とを安定的に電気接続することができる。
【図面の簡単な説明】
【００２１】
【図１】本実施の形態に係る送風機器の一構成例を示した正面側斜視図である。
【図２】本実施の形態に係る送風機器の一構成例を示した背面側斜視図である。
【図３】送風機器の送風ヘッド及び操作部の内部構成を模式的に示した側断面図である。
【図４】帯電粒子発生ユニット及びファンを保持した保持体を上方斜め後ろから見た斜視図である。
【図５】帯電粒子発生ユニット及びファンを保持した保持体を下方斜め後ろから見た斜視図である。
【図６】帯電粒子発生ユニット及びファンを保持した保持体の正面図である。
【図７】帯電粒子発生ユニット及びファンを保持した保持体の背面図である。
【図８】帯電粒子発生ユニット及びファンを保持した保持体の側面図である。
【図９】保持体及び回路基板を保持したユニット保持体を示した側断面図である。
【図１０】保持体を上方斜め後ろから見た斜視図である。
【図１１】保持体を下方斜め後ろから見た斜視図である。
【図１２】保持体を下方斜め前から見た斜視図である。
【図１３】保持体の正面図である。
【図１４】保持体の背面図である。
【図１５】保持体の側面図である。
【図１６】ユニット保持部の要部を示した側断面図である。
【図１７】帯電粒子発生ユニットの回路図である。
【図１８】ユニット保持部に対する回路基板の取り付け方法を示す説明図である。
【図１９】回路基板が取り付けられたユニット保持部を示す側断面図である。
【図２０】ユニット保持部に対する帯電粒子発生ユニットの取り付け方法を示す説明図である。
【発明を実施するための形態】
【００２２】
以下、本発明をその実施の形態を示す図面に基づいて詳述する。
図１は、本実施の形態に係る送風機器の一構成例を示した正面側斜視図、図２は、本実施の形態に係る送風機器の一構成例を示した背面側斜視図である。本実施の形態に係る送風機器は、正帯電粒子及び負帯電粒子を含む空気を人の肌表面に送風することによって、スチーム又はミストを発生させることなく、肌表面における水分量を増加させ、肌弾力を向上させることができる美容器具である。本実施の形態に係る送風機器は円盤状のベース１を備える。ベース１は略中央部から斜め後方へ盛り上がった隆起部を有し、該隆起部から上方へ首部２が突出している。首部２は外力によって変形が可能な棒状である。首部２の先端部には、中心線が首部２と略一致するように略円柱状の操作部３が設けられている。操作部３の先端部には、送風方向が操作部３の中心線に対して略直交するように円筒状の送風ヘッド４が設けられている。送風ヘッド４の両端部には、空気を吸い込む吸込口４０ｂと、帯電粒子を含む空気を吹き出す吹出口４０ａとがそれぞれ形成されている。以下、説明の便宜上、方向を以下のように定める。図示しない台にベース１を乗せた状態で送風ヘッド４側を上方、ベース１側を下方、吸込口４０ｂ側を後方、吹出口４０ａ側を前方、吹出口４０ａに向かって左側及び右側を左右方向と定める。
【００２３】
図３は、送風機器の送風ヘッド４及び操作部３の内部構成を模式的に示した側断面図である。送風ヘッド４は中空略円筒状の筐体４１を備える。筐体４１の一端側には空気の吸込口４０ｂが設けられ、他端側には空気の吹出口４０ａが設けられている。筐体４１の中央部分は空気が通流する通流路４０を構成している。吸込口４０ｂには、円環状のフィルタ保持枠４０ｃが内側から前方へ突出しており、空気中の塵埃を補足する網目フィルタ６がフィルタ保持枠４０ｃによって保持されている。筐体４１の内部には、帯電粒子発生ユニット（電子部品）４３、ファン４２及び回路基板４４を保持する保持体５が配されている。帯電粒子発生ユニット４３は後述する回路部品を収容した略直方体のユニットケースを有する。ユニットケースは樹脂性であり、正帯電粒子及び負帯電粒子を放出するための放出孔が上面に２つ形成されている。２つの放出孔にはそれぞれ正帯電粒子及び負帯電粒子を発生させる正極針４３ｇ及び負極針４３ｆ（図１７参照）が設けられている。ユニットケースは、筐体４１内部の下部に配され、正極針４３ｇ及び負極針４３ｆが通流路４０側を向くような姿勢で保持体５に保持されている。また、保持体５に保持された帯電粒子発生ユニット４３の前面には、回路基板４４の接点４４ａと電気接続するための接続端４３ａが設けられている（図９参照）。ファン４２は、例えばプロペラファンであり、プロペラは略直方体の支持枠によって支持され、該プロペラの回転軸が筐体４１の中止線と略一致するように筐体４１内部の前側に、保持体５によって保持されている。回路基板４４は、筐体４１の下部から操作部３の内部に亘る長方形状をなし、帯電粒子発生ユニット４３に電気接続するための接点４４ａを上部の背面側の面に有する。保持体５は回路基板４４の接点４４ａに、帯電粒子発生ユニット４３の接続端４３ａを当接させた状態で回路基板４４を保持している。
操作部３は、中空略円筒状の操作部収容体３１を有する。操作部収容体３１の内部には保持体５によって保持された回路基板４４が配され、操作部収容体３１の前面側に照明装置７、及び送風機器を操作するためのスライドスイッチ８が配されている。
なお、図３中、白丸は吹出口４０ａから吹き出された正帯電粒子、黒丸は吹出口４０ａから吹き出された負帯電粒子を模式的に示したものである。
【００２４】
図４は、帯電粒子発生ユニット４３及びファン４２を保持した保持体５を上方斜め後ろから見た斜視図、図５は、帯電粒子発生ユニット４３及びファン４２を保持した保持体５を下方斜め後ろから見た斜視図、図６は、帯電粒子発生ユニット４３及びファン４２を保持した保持体５の正面図、図７は、帯電粒子発生ユニット４３及びファン４２を保持した保持体５の背面図、図８は、帯電粒子発生ユニット４３及びファン４２を保持した保持体５の側面図、図９は、保持体５及び回路基板４４を保持したユニット保持体５５２を示した側断面図である。また、図１０は、保持体５を上方斜め後ろから見た斜視図、図１１は、保持体５を下方斜め後ろから見た斜視図、図１２は、保持体５を下方斜め前から見た斜視図、図１３は、保持体５の正面図、図１４は、保持体５の背面図、図１５は、保持体５の側面図、図１６は、ユニット保持部５２の要部を示した側断面図である。
【００２５】
保持体５は、筐体４１内部の前側にファン４２を保持するファン保持部５１を有する。ファン保持部５１は、ファン４２の支持枠を囲み、回転軸が筐体４１の中止線と略一致するようにファン４２を保持する正面視四角形状の保持枠５１ｂを有する。保持枠５１ｂの後側の四隅には、ファン４２の支持枠の後面が当接する三角板５１ａが形成されている。ファン保持部５１に挿嵌されたファン４２はファン保持部５１にねじ止めされている。
【００２６】
また、保持体５は帯電粒子発生ユニット４３を筐体４１の下部に保持するユニット保持部（電子部品保持部）５２を有する。ユニット保持部５２は、ファン保持部５１の下部から後方へ突出し、帯電粒子発生ユニット４３が後方から挿脱されるように前後方向両側が開口した略四角筒状をなす。具体的には、ユニット保持部５２は、帯電粒子発生ユニット４３の両側面に当接して、帯電粒子発生ユニット４３の横方向（左右方向）の移動を規制する側板５２ａ，５２ｂと、帯電粒子発生ユニット４３の上面及び下面にそれぞれ当接し、帯電粒子発生ユニット４３の上下方向の移動を規制する上板５２ｄ及び底板５２ｃとで構成される。
側板５２ａ，５２ｂ及び上板５２ｄ及び底板５２ｃの後部は、帯電粒子発生ユニット４３が挿脱される挿脱部を構成している。
【００２７】
更に、保持体５は帯電粒子発生ユニット４３の後方への移動を規制する規制爪（規制部材）５３を有する。規制爪５３は、保持体５の下部から後方へ突出し、上下方向へ撓む可撓性板部５３ａを有し、可撓性板部５３ａの後端部に帯電粒子発生ユニット４３の後面に引っ掛かる鈎部５３ｂが形成されている。
【００２８】
更にまた、保持体５は、下方から回路基板４４が挿入される挿入路を有しており、ユニット保持部５２の前側の開口が回路基板４４の上端部分で覆われるような状態で回路基板４４を保持するように構成されている。具体的には、ユニット保持部５２の前側の開口の上部から下方へ突出し、ユニット保持部５２の前側の開口を覆うように配された回路基板４４の前面に当接する複数の当接片（当接部）５４ａを有する。また、保持体５は、保持体５の下部の左右方向両側からそれぞれ前方へ突出し、ユニット保持部５２の前側の開口を覆うように配された回路基板４４の側部前面に当接する当接爪（当接部）５４ｂを有する。更に、保持体５は、ユニット保持部５２の前側の開口を覆うように配された回路基板４４が上下左右方向へ移動しないように位置決めするために、保持体５の下部から前方へ突出した棒状の突出部５５を有する。回路基板４４は、突出部５５が挿入される位置決め孔部４４ｂを有する。
鈎部５３ｂの帯電粒子発生ユニット４３に対する当接面と、当接片５４ａ及び当接爪５４ｂの回路基板４４に対する当接面との距離は、帯電粒子発生ユニット４３の接続端４３ａと、回路基板４４の接点４４ａとが当接して電気的に接続するような寸法である。
【００２９】
図１７は、帯電粒子発生ユニット４３の回路図である。帯電粒子発生ユニット４３が有する接続端４３ａは、接続端４３ａに入力される直流電圧を交流電圧に変換する直流交流変換回路４３ｂに接続されている。直流交流変換回路４３ｂの出力端には高圧トランス４３ｃの一次コイルが接続され、交流電圧が一次コイルに印加されるように構成されている。高圧トランス４３ｃの二次コイルの一端には整流ダイオード４３ｄが逆接続され、整流ダイオード４３ｄのアノードに負極針４３ｆが接続されている。高圧トランス４３ｃの二次コイルの他端には整流ダイオード４３ｅが順接続され、整流ダイオード４３ｅのカソードに正極針４３ｇが接続されている。また、帯電粒子発生ユニット４３は、回路基板４４に接続することで接地される接地板４３ｈを有する。接地板４３ｈは適宜長離隔して形成された孔を有し、各孔の中心に正極針４３ｇ及び負極針４３ｆの先端が位置するように、接地板４３ｈ並びに正極針４３ｇ及び負極針４３ｆが位置決め固定されている。
【００３０】
このように構成された送風機器によれば、コネクタを用いずに、帯電粒子発生ユニット４３と、回路基板４４とを安定的に電気接続することができる。従って、コネクタを用いる場合に比べて、部品点数及び組み立て工数を削減し、低コスト化を図ることができる。以下、帯電粒子発生ユニット４３及び回路基板４４の取り付け方法を説明する。
【００３１】
図１８は、ユニット保持部５２に対する回路基板４４の取り付け方法を示す説明図、図１９は、回路基板４４が取り付けられたユニット保持部５２を示す側断面図である。まず、送風機器の組み立て作業者は、ユニット保持部５２の前方の開口部へ回路基板４４を下方から挿入し、回路基板４４の上端部を当接片５４ａに引っ掛ける。そして、突出部５５と、回路基板４４の位置決め孔部４４ｂの位置を合わせる。そして、当接片５４ａを中心にして、回路基板４４を回動させ、回路基板４４の位置決め孔部４４ｂに突出部５５を挿入させる。図１９に示すように、位置決め孔部４４ｂに突出部５５が挿入されると、回路基板４４の側辺に当接爪５４ｂが引っ掛かり、回路基板４４は当接片５４ａ及び当接爪５４ｂによって固定される。
【００３２】
図２０は、ユニット保持部５２に対する帯電粒子発生ユニット４３の取り付け方法を示す説明図である。次に、帯電粒子発生ユニット４３を、ユニット保持部５２の後方の開口部から挿入する。規制爪５３は可撓性を有するため、規制爪５３の復元力に抗して、帯電粒子発生ユニット４３をユニット保持部５２へ挿入することができる。帯電粒子発生ユニット４３が奥まで挿入され、帯電粒子発生ユニット４３の接続端４３ａと、回路基板４４の接点４４ａとが接触すると、図９に示すように規制爪５３の鈎部５３ｂが帯電粒子発生ユニット４３に掛かり、帯電粒子発生ユニット４３の前後方向の移動が規制される。
このようにして、回路基板４４及び帯電粒子発生ユニット４３を保持体５に保持させることによって、簡単に帯電粒子発生ユニット４３及び回路基板４４を電気接続させ、保持体５に保持させることができる。帯電粒子発生ユニット４３は、ユニット保持部５２の側板５２ａ，５２ｂ、底板５２ｃ及び上板５２ｄによって、上下左右方向の移動が規制され、規制爪５３によって後方への移動が規制される。回路基板４４は位置決め孔部４４ｂに突出部５５が挿入されているため、接点４４ａ及び接続端４３ａが対向するように位置決めされ、回路基板４４の上下左右方向の移動が規制され、当接片５４ａ及び当接爪５４ｂによって前方への移動も規制される。更に、帯電粒子発生ユニット４３及び回路基板４４は、規制爪５３と、当接片５４ａ及び当接爪５４ｂとによって、接続端４３ａ及び接点４４ａが離れないよう前後方向から押さえられる。
【００３３】
従って、上述の通り、コネクタを用いずに、帯電粒子発生ユニット４３と、回路基板４４とを安定的に電気接続することができる。つまり、挿脱方向における当接片５４ａ及び当接爪５４ｂと、規制爪５３との幅が、帯電粒子発生ユニット４３及び回路基板４４の挿脱方向における幅以下になるように寸法管理を行いさえすれば、回路基板４４の接点４４ａと、帯電粒子発生ユニット４３の接続端４３ａとを安定的に接触させた状態で保持することが可能である。また、当接片５４ａ、当接爪５４ｂ及び規制爪５３は一体形成されているため、各部を別体で構成する場合に比べて、挿脱方向における寸法管理が容易である。
【００３４】
また、ファン保持部５１も、ユニット保持部５２と一体形成されているため、更に部品点数及び組み立て工数を削減し、低コスト化を図ることができる。
【００３５】
なお、本実施の形態においては、帯電粒子を含む空気を送風する送風機器を例示したが、本発明は、回路基板に電子部品を着脱可能に取り付ける必要がある各種電気機器に適用することができる。例えば、映像表示装置、テレビジョン受像機、携帯通信端末、撮像装置、複写機、その他の家電製品に本発明を適用することができる。
【００３６】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００３７】
１  ベース
２  首部
３  操作部
４  送風ヘッド
５  保持体
６  網目フィルタ
７  照明装置
８  スライドスイッチ
３１  操作部収容体
４０  通流路
４０ａ  吹出口
４０ｂ  吸込口
４１  筐体
４２  ファン
４３  帯電粒子発生ユニット（電子部品）
４３ａ  接続端
４４  回路基板
４４ａ  接点
４４ｂ  位置決め孔部
５１  ファン保持部
５１ａ  三角板
５１ｂ  保持枠
５２  ユニット保持部（電子部品保持部）
５３  規制爪（規制部材）
５４ａ  当接片（当接部）
５４ｂ  当接爪（当接部）
５５  突出部
【図１】
2014053559.tif 000003
【図２】
2014053559.tif 000004
【図３】
2014053559.tif 000005
【図４】
2014053559.tif 000006
【図５】
2014053559.tif 000007
【図６】
2014053559.tif 000008
【図７】
2014053559.tif 000009
【図８】
2014053559.tif 000010
【図９】
2014053559.tif 000011
【図１０】
2014053559.tif 000012
【図１１】
2014053559.tif 000013
【図１２】
2014053559.tif 000014
【図１３】
2014053559.tif 000015
【図１４】
2014053559.tif 000016
【図１５】
2014053559.tif 000017
【図１６】
2014053559.tif 000018
【図１７】
2014053559.tif 000019
【図１８】
2014053559.tif 000020
【図１９】
2014053559.tif 000021
【図２０】
2014053559.tif 000022